(57)【特許請求の範囲】
【請求項１】
遊技機を構成する複数の各ユニットを、これらを処理する所定の処理領域へと振り分け配送するためのユニット振り分け配送管理システムであって、前記各ユニットが、各ユニット固有の識別情報および耐用年数に関する情報を含む所定の情報が記憶された記憶部と、前記記憶部に記憶された情報を送信するための送信部とを備える情報保持手段を有する、ユニット振り分け配送管理システムにおいて、
各ユニットを振り分け配送するための経路内の所定位置に設けられ、この所定位置を通過する前記情報保持手段の前記記憶部に記憶された情報を前記送信部を介して読み取る少なくとも１つの情報読み取り手段と、
前記各ユニットの振り分け配送を管理するとともに、少なくとも１つの前記処理領域からの情報と、前記情報読み取り手段により読み取られた情報とに基づいて、配送先となる処理領域を指定する配送先情報とその処理領域に配送されるユニットの数を指定する配送数情報とを含む振り分け情報を生成する振り分け情報生成手段を有する管理手段と、
前記管理手段と通信可能に接続され、ユニットの資産価値を前記情報保持手段からの読み取り結果に基づいて算出する価値管理装置と、
を備え、
前記価値管理装置は、前記情報保持手段の記憶部に記憶された各ユニット固有の識別情報に応じてユニットが処理領域の資産から外れたのか或いは資産に加わったのかを判定する判定部と、ユニットの資産価値を算出する価値算出部と、該価値算出部により算出されたユニットの資産価値を記憶する記憶部とを有し、
前記価値算出部は、遊技機１台ごとにその遊技機中の全てのユニットの残存価値を集計して、前記価値管理装置の前記記憶部に記憶されるべきその遊技機の価値である個別遊技機価値を算出し、
前記管理手段は、前記価値管理装置の前記記憶部に記憶される個別遊技機価値を利用して、遊技機の製造原価計算を行なう、
ことを特徴とするユニット振り分け配送管理システム。
【請求項２】
前記振り分け情報には、前記各ユニットの交換箇所を指定する情報が含まれることを特徴とする請求項１に記載のユニット振り分け配送管理システム。
【請求項３】
ユニットの前記記憶部には、前記各ユニットの配送先を示す情報が記憶されていることを特徴とする請求項１または請求項２に記載のユニット振り分け配送管理システム。
【請求項４】
ユニットの前記記憶部には、前記各ユニットの交換箇所を示す情報が記憶されていることを特徴とする請求項１ないし請求項３のいずれか１項に記載のユニット振り分け配送管理システム。
【請求項５】
前記管理手段は、前記各ユニット毎に減価償却に係わる数値を算出する算出手段を有していることを特徴とする請求項１ないし請求項４のいずれか１項に記載のユニット振り分け配送管理システム。
【請求項６】
前記情報保持手段は、ＩＣタグ、バーコード、および、二次元コードのうちのいずれかあることを特徴とする請求項１ないし請求項５のいずれか１項に記載のユニット振り分け配送管理システム。
【発明の詳細な説明】
【技術分野】
【０００１】
本発明は、各ユニット（遊技機または遊技機を構成する各パーツ；以下同様）を、これらを処理する所定の処理領域へと振り分け配送するユニット振り分け配送管理システムに関する。
【背景技術】
【０００２】
従来から、遊技機の製造・組み立てにおいては、一般に、所要の部品（パーツ）を製造・組み立てライン上の所定の処理領域へと振り分けて移送させ、当該処理領域で必要な組み立て等を行なっている。また、近年では、環境に対する配慮から、できる限りリサイクルを行なうことが望まれており、かかるリサイクルの実現のため、顧客に販売した遊技機を回収し、使用できる部品（パーツ）を再利用することが行なわれている。そして、その際にも、回収部品は、製造・組み立てルートにおける所定の処理領域へと振り分けて配送され、その処理領域において必要な組み立て等が行なわれる。
【０００３】
ところで、こうした製造・組み立てライン上またはルートに沿ったユニットの振り分け配送は、時間を短縮して効率的に行なえることが好ましい。これに関連する技術として、特許文献１には、過去分のデータに基づいて生販データを各製作所に仕分けすることで、作業時間を短縮化できる発注管理システムが開示されている。
【特許文献１】特開２００４−２１３１３６号公報
【発明の開示】
【発明が解決しようとする課題】
【０００４】
しかしながら、特許文献１に開示された技術では、生販データを各製作所に仕分けすることにより、ある程度の作業時間の短縮は可能であっても、物流システム、工場システム、経理（財務）システムとの連携による各ユニット毎の仕分けに基づく入力・管理作業、ひいては、管理により現時点における減価償却に係わる数値の算出の作業等をリアルタイムに且つ自動的に行なうことができない。事実、現状では、このような作業が手作業で行なわれており、また、その情報伝達もＦＡＸや電話等で成されており、多大な時間と労力が費やされることは避けられない。また、効率の低下や人為的なミスが発生する可能性も高い。
また、リサイクル／リユースを最大限効率的に行なおうとする生産においては、その生産に必要な無駄の無い部品発注が必要となるが、従来、この無駄の無い発注のためのデータを作成・管理して活用するといったことが行なわれていなかった。
本発明は前記事情に着目してなされたものであり、各ユニットの経時的な状態をリアルタイムに且つ自動的に管理でき、物流システム、工場システム、経理（財務）システムとの連携により効率的にユニットを有効利用できるユニット振り分け配送管理システムを提供することにある。
【課題を解決するための手段】
【０００５】
前記課題を解決するために、請求項１に記載されたユニット振り分け配送管理システムは、遊技機を構成する複数の各ユニットを、これらを処理する所定の処理領域へと振り分け配送するためのものであり、前記各ユニットは、各ユニット固有の識別情報および耐用年数に関する情報を含む所定の情報が記憶された記憶部と、前記記憶部に記憶された情報を送信するための送信部とを備える情報保持手段を有する。また、ユニット振り分け配送管理システムは、各ユニットを振り分け配送するための経路内の所定位置に設けられ、この所定位置を通過する前記情報保持手段の前記記憶部に記憶された情報を前記送信部を介して読み取る少なくとも１つの情報読み取り手段と、前記各ユニットの振り分け配送を管理するとともに、少なくとも１つの前記処理領域からの情報と、前記情報読み取り手段により読み取られた情報とに基づいて、配送先となる処理領域を指定する配送先情報とその処理領域に配送されるユニットの数を指定する配送数情報とを含む振り分け情報を生成する振り分け情報生成手段を有する管理手段と、前記管理手段と通信可能に接続され、ユニットの資産価値を前記情報保持手段からの読み取り結果に基づいて算出する価値管理装置とを備え、前記価値管理装置は、前記情報保持手段の記憶部に記憶された各ユニット固有の識別情報に応じてユニットが処理領域の資産から外れたのか或いは資産に加わったのかを判定する判定部と、ユニットの資産価値を算出する価値算出部と、該価値算出部により算出されたユニットの資産価値を記憶する記憶部とを有し、前記価値算出部は、遊技機１台ごとにその遊技機中の全てのユニットの残存価値を集計して、前記価値管理装置の前記記憶部に記憶されるべきその遊技機の価値である個別遊技機価値を算出し、前記管理手段は、前記価値管理装置の前記記憶部に記憶される個別遊技機価値を利用して、遊技機の製造原価計算を行なう。
【０００６】
この請求項１に記載されたユニット振り分け配送管理システムによれば、情報保持手段、情報読み取り手段、管理手段、および、価値管理装置が各ユニットの経時的な状態について協働して情報をやりとりする自動化システムを実現することが可能になるため、各ユニットの経時的な状態をリアルタイムに且つ自動的に管理でき、物流システム、工場システム、経理（財務）システムとの連携により効率的にユニットを有効利用することができる。また、振り分け配送管理をリアルタイム且つ自動化させることができるため、効率化を図りつつ人為的ミスを無くすことができる。特に、リサイクル／リユースを活かした生産においては、店舗から回収される遊技機の種類や内容を回収する段階で情報保持手段を読み取ることで無駄の無い受発注が可能になる。
【０００７】
なお、上記構成において、「処理領域」とは、部品の製造・組み立て場所やリサイクル回収場所など、製造・出荷作業領域の一部の他、リサイクル／リユースのための回収作業領域の一部を含む広い概念である。また、「ユニット」は、遊技機および遊技機を構成する各パーツを含む広い概念である。
【０００８】
また、請求項２に記載されたユニット振り分け配送管理システムは、請求項１に記載されたユニット振り分け配送管理システムにおいて、前記振り分け情報には、前記各ユニットの交換箇所を指定する情報が含まれることを特徴とする。
【０００９】
この請求項２に記載されたユニット振り分け配送管理システムによれば、請求項１に記載されたユニット振り分け配送管理システムと同様の作用効果を得ることができるととともに、各ユニット毎の交換箇所を指定する情報が振り分け情報に含まれているため、例えば積載されたトラック（移送手段を構成し得る）が配送先に到着した時点でユニット交換作業をリアルタイムに且つ自動的に行なうことが可能になる。
【００１０】
また、請求項３に記載されたユニット振り分け配送管理システムは、請求項１または請求項２に記載されたユニット振り分け配送管理システムにおいて、ユニットの前記記憶部には、前記各ユニットの配送先を示す情報が記憶されていることを特徴とする。
【００１１】
この請求項３に記載されたユニット振り分け配送管理システムによれば、請求項１または請求項２に記載されたユニット振り分け配送管理システムと同様の作用効果を得ることができるとともに、回収段階で予め回収先（配送先）が決められたユニットを効率よく回収（配送）できる。
【００１２】
また、請求項４に記載されたユニット振り分け配送管理システムは、請求項１ないし請求項３のいずれか１項に記載されたユニット振り分け配送管理システムにおいて、ユニットの前記記憶部には、前記各ユニットの交換箇所を示す情報が記憶されていることを特徴とする。
【００１３】
この請求項４に記載されたユニット振り分け配送管理システムによれば、請求項１ないし請求項３のいずれか１項に記載されたユニット振り分け配送管理システムと同様の作用効果を得ることができるとともに、回収段階で予め交換箇所が分かっているユニットを効率よく回収（配送）できる。
【００１４】
また、請求項５に記載されたユニット振り分け配送管理システムは、請求項１ないし請求項４のいずれか１項に記載されたユニット振り分け配送管理システムにおいて、前記管理手段は、前記各ユニット毎に減価償却に係わる数値を算出する算出手段を有していることを特徴とする。
【００１５】
この請求項５に記載されたユニット振り分け配送管理システムによれば、請求項１ないし請求項４のいずれか１項に記載されたユニット振り分け配送管理システムと同様の作用効果を得ることができるとともに、各ユニットについて減価償却を考慮して資産価値を管理することができ、効果的なリサイクルを行なうことができる。
【００１６】
また、請求項６に記載されたユニット振り分け配送管理システムは、請求項１ないし請求項５のいずれか１項に記載されたユニット振り分け配送管理システムにおいて、前記情報保持手段は、ＩＣタグ、バーコード、および、二次元コードのうちのいずれかであることを特徴とする。
【００１７】
この請求項６に記載されたユニット振り分け配送管理システムによれば、請求項１ないし請求項５のいずれか１項に記載されたユニット振り分け配送管理システムと同様の作用効果を得ることができるとともに、情報を電子的に効率よく読み取って管理することができる。
【発明の効果】
【００１８】
本発明によれば、各ユニットの経時的な状態をリアルタイムに且つ自動的に管理でき、物流システム、工場システム、経理（財務）システムとの連携により効率的にユニットを有効利用できるユニット振り分け配送管理システムを提供することができる。
【発明を実施するための最良の形態】
【００１９】
以下、図面を参照しながら、本発明の実施形態について説明する。
図１は、第１の実施形態に係るユニット振り分け配送管理システムＳの概要を示した図である。
なお、前述したように、ユニットとは、図５に示されるように、遊技機１０または遊技機１０を構成する各パーツ１０ａ，１０ｂ，１０ｃのことである。無論、遊技機１０以外の機器およびそれを構成する構成要素であっても構わない。また、遊技機１０は、パチンコ機、スロットマシン、ビデオゲーム機など遊技場に配置して遊技者に遊技を提供する装置である。ユニットとしての遊技機１０は、複数のパーツ（ユニット）１０ａ，１０ｂ，１０ｃを組み立てることにより製造される。パーツ１０ａ，１０ｂ，１０ｃは、交換可能な装置、ユニット部品、基板、であって、例えば、液晶パネル装置、リールユニット、ホッパーユニット、画像処理回路基板などである。
また、後述するが、遊技機１０及びそのパーツ１０ａ，１０ｂ，１０ｃには、情報保持手段である無線ＩＣタグ２０１（図５参照）が付されている。遊技機１０及びそのパーツ１０ａ，１０ｂ，１０ｃに取り付けられた無線ＩＣタグ２０１は、情報読み取り手段としてのリーダ／ライタ４０によって読み取られ、どの遊技機１０及びパーツ１０ａ，１０ｂ，１０ｃが各製造会社２０から搬出され、あるいは搬入されたかを検出できるようになっている。
【００２０】
また、以下において、遊技機１０は、レンタルで無く販売された場合を例に記述する。製造会社２０は、無線ＩＣタグ２０１を付したユニット１０，１０ａ，１０ｂ，１０ｃを組み立てることなどによって遊技機１０を製造する。製造された遊技機１０は遊技場３０に販売される。遊技場３０によって買い取られた遊技機１０は製造会社２０から遊技場３０に搬送される。遊技機１０は遊技場３０に設置され遊技者の遊技に供され、稼働状態に置かれる。その後、新機種の導入などの理由により遊技場３０は遊技機１０を廃棄する。製造会社２０は廃棄された遊技機１０を遊技場３０から買い取り、あるいは無償で引き取る。製造会社２０は、買い取り又は引き取った使用済み遊技機１０を遊技場３０から自社の製造工場や倉庫に搬入し、遊技機１０が備えているユニットのうち新たな遊技機１０を製造するために使用可能なユニット、あるいは耐用年数が経過していないユニットを取り外して使用する。すなわち、ユニットをリサイクルして使用する。
【００２１】
具体的に、本実施形態に係るユニット振り分け配送管理システムＳは、図１に示されるように、複数の遊技場３０と複数の製造会社２０との間で構築される。より具体的には、このユニット振り分け配送管理システムＳは、ユニット１０，１０ａ，１０ｂ，１０ｃのリサイクルに供するものであり、複数の各ユニット１０，１０ａ，１０ｂ，１０ｃを、各遊技場３０から所定の処理領域である各製造会社２０へと振り分け配送するための振り分け配送経路４００と、振り分け配送経路４００内の所定位置に設けられ、この所定位置を通過する各ユニット１０，１０ａ，１０ｂ，１０ｃの無線ＩＣタグ２０１に記憶された情報を読み取る情報読み取り手段としてのリーダ／ライタ４０と、各ユニット１０，１０ａ，１０ｂ，１０ｃの振り分け配送を管理する管理手段を構成する管理制御部３００とを備えている。なお、管理制御部３００と各リーダ／ライタ４０とは例えば無線で情報をやりとりできるようになっている。
【００２２】
図２に示されるように、各ユニット１０，１０ａ，１０ｂ，１０ｃ毎に設けられる情報保持手段としての無線ＩＣタグ２０１は、各ユニット固有の識別情報および耐用年数に関する情報を含む所定の情報が記憶された記憶部としてのメモリ２１０と、メモリ２０１に記憶された情報を送信するための送信部としてのインタフェース２２０と、これらの構成要素を制御する制御ドライバ２１５とを少なくとも有している。ここで、前述したリーダ／ライタ４０は、メモリ２０１に記憶された情報をインタフェース２２０を介して読み取ることができる。
【００２３】
また、図３に示されるように、管理手段を構成する管理制御部３００は、各リーダ／ライタ４０や各製造会社２０と無線等で通信するためのインタフェース３１８と、各種の管理情報を記憶するメモリ３１４と、各製造会社２０からの情報と、各リーダ／ライタ４０により読み取られた情報とに基づいて（これらの情報はメモリ３１４内に逐次に蓄積されても良い）、配送先となる製造会社２０を指定する配送先情報とその製造会社２０に配送されるユニット１０，１０ａ，１０ｂ，１０ｃの数を指定する配送数情報とを含む振り分け情報を生成する振り分け情報生成手段としての振り分け情報生成部３１２と、これらの構成要素３１２，３１４，３１８を制御する制御部３１６とを備えている。制御部３１６は、振り分け情報生成部３１２で生成される前記振り分け情報に基づいて、指定された数のユニット１０，１０ａ，１０ｂ，１０ｃを配送先として指定された製造会社２０へと振り分け配送経路４００に沿って移送するべく所定の配送管理を行なう。本実施形態では、振り分け配送経路４００に沿ってユニット１０，１０ａ，１０ｂ，１０ｃを移送する移送手段としての例えば無線トラック９０に対して無線で配送先を指示することにより、上記配送管理を行なう。なお、本実施形態では、無線トラック９０も管理制御部３００と共に前記管理手段を構成している。
【００２４】
ここで、前記振り分け情報には、各ユニット１０，１０ａ，１０ｂ，１０ｃの交換箇所を指定する情報も含まれている。また、他の好ましい態様では、無線ＩＣタグ２０１のメモリ２１０内に各ユニット１０，１０ａ，１０ｂ，１０ｃの交換箇所を指定する情報が含まれている。また、その場合、無線ＩＣタグ２０１のメモリ２１０内に各ユニット１０，１０ａ，１０ｂ，１０ｃの配送先を示す情報が記憶されていても良い。また、更に他の好ましい態様では、前記情報保持手段が無線ＩＣタグ２０１ではなく、バーコードまたは二次元コードである。
【００２５】
さて、遊技機１０が製造会社２０から遊技場３０へ搬出される前は、遊技機１０は在庫として製造会社２０の資産として扱われる。その後、遊技機１０が製造会社２０から遊技場３０へ搬出されると、遊技機１０及びそれが備えるパーツ１０ａ，１０ｂ，１０ｃは、製造会社２０の資産でなくなる。その後、リサイクル用のユニットとして遊技機１０が製造会社２０に引き取られると、遊技機１０のパーツ１０ａ，１０ｂ，１０ｃは新たな遊技機１０の製造用の部品、あるいは新しく製造された遊技機１０として製造会社２０の資産となる。
【００２６】
一方、使用済みのパーツ１０ａ，１０ｂ，１０ｃが組み込まれた新たな遊技機１０は、遊技場３０によって買い取られると、遊技場３０に搬送される。その後、使用済みとなったこの遊技機１０は再度遊技場３０から製造会社２０の製造工場や倉庫に搬入され、遊技機１０が備えているパーツ１０ａ，１０ｂ，１０ｃのうち新たな遊技機１０を製造するために使用可能なものを取り外して、必要に応じた手入れを行いリサイクルして使用する。
【００２７】
このように、遊技機１０及びそのパーツ１０ａ，１０ｂ，１０ｃを繰り返し使用してリサイクルすることにより、資源の節約や産業廃棄物の減量といった環境に配慮した経営を行うことが可能となる。
【００２８】
但し、遊技機１０のパーツ１０ａ，１０ｂ，１０ｃは使用済みであるため、その資産価値は新品時に比べて減少していく。製造会社２０の価値管理装置５０は、ユニット１０，１０ａ，１０ｂ，１０ｃの利用回数や使用期間などユニット１０，１０ａ，１０ｂ，１０ｃの資産価値を無線ＩＣタグ２０１の読み取り結果に基づいて算出し、リアルタイムで製造会社２０における部品在庫の価値を把握することを可能とし、もってリアルタイムでの企業の資産価値の把握を可能とする。なお、価値管理装置５０は管理制御部３００と通信可能に接続されている。
【００２９】
図４には価値管理装置５０を含む製造会社２０の価値管理システムの概略構成が示されている。価値管理装置５０は、振り分け配送経路４００に設けられるリーダ／ライタ４０とは別個に製造会社２０側に設けられるリーダ／ライタ４０Ａ、４０Ｂと通信可能に接続されており、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している装置であって、例えばコンピュータ、ワークステーションなどの情報処理装置である。前記ＲＯＭ、若しくはハードディスク装置などに情報処理装置を価値管理装置５０として機能させるためのプログラム、又は価値管理方法をコンピュータに実行させるためのプログラムが記憶されており、このプログラムを主メモリ上に載せ、ＣＰＵがこれを実行することにより価値管理装置５０が実現され、若しくは価値管理方法が実行される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに載せる構成であってもよい。
【００３０】
リーダ／ライタ４０（搬出検出側のリーダ／ライタと、搬入検出側のリーダ／ライタを区別するため、それぞれリーダ／ライタ４０Ａ、４０Ｂとするが、両リーダ／ライタは装置としては同じ構成／機能を有する装置である）は、ＩＣタグ２０１から無線によりＩＣタグ２０１に記憶されている情報を読み取り、読み取った情報を価値管理装置５０に渡す機能を有する。
【００３１】
図４に示す例においては、ユニットである遊技機１０は、３つのパーツ、すなわちユニットＡ（例えば、液晶ディスプレイ装置）、ユニットＢ（例えば、リールユニット）、ユニットＣ（例えば、リール駆動モータ）などを含んだ装置である。繰り返し述べるが、本実施形態における「ユニット」とは、本価値管理システムにおいて価値管理の対象となる、装置、部品、構成要素などである。なお、前述したように、ユニットには、別のユニットを含んでいてもよい。なお、どのような部品を本発明におけるユニットとして扱うかは、どのような部品の価値管理を行うかに従って決定される。どのようにユニットを定めるかは、価値管理システムの使用者の決定に従って自由に定めることが可能であって、装置の物理的構成などに制限されることはない。
【００３２】
さて、遊技機１０及び各パーツ１０ａ，１０ｂ，１０ｃには前述したようにＩＣタグ２０１が付されている。すなわち、遊技機１０にＩＣタグ２０１が付されていると共に、各パーツ（ユニットＡ、Ｂ、Ｃ）にもそれぞれＩＣタグ２０１が付されている。各ＩＣタグ２０１にはそれぞれのＩＣタグを一意に特定できる情報である識別情報が、リーダ／ライタ４０により読み取り可能に記憶されている（これについては既に説明した）。
【００３３】
遊技機１０が製造会社２０の資産でなくなる状況、例えば、倉庫から搬出されて遊技場３０に輸送されるとき、倉庫の搬出口ゲートなどに設けたリーダ／ライタ４０Ａによりこの遊技機１０及びこの遊技機１０内のユニットＡ、Ｂ、Ｃに付された各ＩＣタグ２０１を読み取る。価値管理装置５０は、読み取ったＩＣタグの識別情報に基づいて、遊技機１０及びこの遊技機１０内のユニットＡ、Ｂ、Ｃは製造会社２０の資産でなくなったと判定し、この判定に基づいて資産価値の処理を行う。
【００３４】
一方、遊技機１０が製造会社２０の資産となる状況、例えば、遊技場３０から倉庫に搬入する際、倉庫の搬入口ゲートなどに設けたリーダ／ライタ４０Ｂによりこの遊技機１０及びこの遊技機１０内のユニットＡ、Ｂ、Ｃに付された各ＩＣタグ２０１を読み取る。価値管理装置５０は、読み取ったＩＣタグ２０１の識別情報に基づいて、遊技機１０及びこの遊技機１０内のユニットＡ、Ｂ、Ｃは製造会社２０の資産になったと判定し、この判定に基づいて資産価値の処理を行う。
【００３５】
また、価値管理装置５０は、各ユニットの資産価値について減価償却額を反映させる処理である減価償却反映処理を行い、残存価値をリアルタイムで把握する機能を有している。
【００３６】
図５は、価値管理装置５０の一例を示す機能ブロック図である。価値管理装置５０は、リーダ／ライタ４０Ａ、４０Ｂからの識別情報に応じて、遊技機１０及び／又はこの遊技機１０内のユニットＡ，Ｂ，Ｃが製造会社２０の資産からはずれたのか、あるいは資産に加わったのかを判定する判定部３０１と、遊技機１０及びこの遊技機１０内のユニットＡ，Ｂ，Ｃの残存価値、資産価値を算出する算出手段としての価値算出部３０２と、価値算出部３０２により算出された遊技機１０及び／又はこの遊技機１０内のユニットＡ，Ｂ，Ｃの残存価値、資産価値を記憶する記憶部３０３とを有する。また、価値算出部３０２は、遊技機１台ごとにその遊技機中の全パーツ（例えばユニットＡ，Ｂ，Ｃ）の残存価値を集計して、その遊技機１０の価値（個別遊技機価値と呼ぶ）を算出する。算出された各遊技機１０の価値は、記憶部３０３によって記憶され、製造原価計算などに利用される。
【００３７】
記憶部３０３に記憶された残存価値、資産価値、及び個別遊技機価値は、価値管理装置５０に接続された管理制御部３００によって利用可能である。管理制御部３００は、バランスシート（Ｂ／Ｓ）、損益計算書、などの書類作成に、記憶部３０３に記憶された残存価値、資産価値を利用することにより、より正確な財務状況をこれら書類に反映させることが可能となる。また、管理制御部３００は、記憶部３０３に記憶された個別遊技機価値を利用して、遊技機の製造原価計算を行うことができる。
図６は、第２の実施形態に係るユニット振り分け配送管理システムＳ’の概要を示した図である。このユニット振り分け配送管理システムＳ’は製造会社２０内に構築されて製造・組み立てに供するものであり、複数の各ユニット１０，１０ａ，１０ｂ，１０ｃを、ユニット格納部５００から所定の処理領域（例えば部品組み立てステーション）５０１〜５０４へと振り分け配送するための振り分け配送経路４００を形成する自動式搬送コンベア１９０（移送手段）と、振り分け配送経路４００内の所定位置に設けられ、この所定位置を通過する各ユニット１０，１０ａ，１０ｂ，１０ｃの無線ＩＣタグ２０１に記憶された情報を読み取る情報読み取り手段としてのリーダ／ライタ４０と、各ユニット１０，１０ａ，１０ｂ，１０ｃの振り分け配送を管理する管理手段を構成する管理制御部３００とを備えている。なお、管理制御部３００と各リーダ／ライタ４０とは例えば無線で情報をやりとりできるようになっている。また、前述したように、管理制御部３００は価値管理装置５０と通信可能に接続されている。なお、管理制御部３００および価値管理装置５０の構成、並びに、ＩＣタグ２０１等のシステムを構成する他の構成要素の構造及び作用は第１の実施形態と同じである。
【００３８】
次に、第１および第２の実施形態に係るユニット振り分け配送管理システムＳ，Ｓ’における価値管理装置５０の動作例について説明する。
【００３９】
［新遊技機完成時］
まず、新品のあるユニットが組み込まれた新しい遊技機１０が出荷待ちになって、製造会社２０の倉庫に保管されているとき、価値管理装置２０１は図７に示すような、価値管理テーブル４００を記憶している。
【００４０】
価値管理テーブル４００は、記憶部３０３に記憶されるデータであって、各ユニットに付されたＩＣタグ２０１が記憶格納する識別情報と、そのＩＣタグ２０１が付されたユニットの残存価値、資産価値を記憶する。
【００４１】
価値管理テーブル４００は、ユニットごとに一つのレコード４０１を有しており、各レコード４０１は、部品ＩＤフィールド４０２、種別ＩＤフィールド４０３、搬入年月日フィールド４０４、搬出年月日フィールド４０５、ステイタスフィールド４０６、取得年月日フィールド４０７、取得原価フィールド４０８、減価償却累計額フィールド４０９、残存価額フィールド４１０、資産価値フィールド４１１を有している。
【００４２】
部品ＩＤフィールド４０２は、ＩＣタグ２０１が付されたユニットを一意に特定する情報である部品ＩＤを格納するフィールドである。なお、ＩＣタグ２０１は、部品ＩＤそのものを格納していてもよいし、ＩＣタグ２０１の識別情報と部品ＩＤとを一対一の関係となるように定めた、識別情報を格納していてもよい。
【００４３】
種別ＩＤフィールド４０３は、そのレコード４０１のユニットの種類を特定する情報である種別ＩＤを格納するフィールドである。例えば、２つのリールユニットがあるものとすると、これら２つのリールユニットにはそれぞれ別の部品ＩＤが設定されるが、ユニットの種類としては同一なので、種別ＩＤは同一となる。
【００４４】
搬入年月日フィールド４０４は、そのレコード４０１に対応するユニットが製造会社２０に搬入されるなどして、製造会社の資産となった年月日を格納するフィールドである。
【００４５】
搬出年月日フィールド４０５は、そのレコード４０１に対応するユニットが製造会社２０から搬出されるなどして、製造会社２０の資産からはずれた年月日を格納するフィールドである。
【００４６】
ステイタスフィールド４０６は、そのレコード４０１に対応するユニットが製造会社２０の資産になっているのか否かを示すステイタス情報を格納するフィールドである。このステイタス情報は、搬入年月日フィールド４０４、及び搬出年月日フィールド４０５の情報を比較することにより、判定部３０１が決定する。
【００４７】
取得年月日フィールド４０７は、そのユニットを新規に取得した年月日（例えば、そのユニットを新規に購入した年月日で、リサイクルで取得した日時ではない）を格納する。
【００４８】
取得原価フィールド４０８は、そのユニットの償却の基礎となる価格である取得価格（例えば、当該ユニットの購入価格）を格納する。
【００４９】
減価償却累計額フィールド４０９は、取得年月日から現在までに発生した減価償却額の累計を格納する。
【００５０】
残存価額フィールド４１０は、現時点でのそのユニットの資産としての価額、すなわち取得原価から減価償却累計額を差し引いた価額を格納する。
【００５１】
資産価値フィールド４１１は、資産価額にそのユニットが製造会社２０の資産であるか否かを反映した情報を格納する。この例では、資産であると判定されている場合には、残存価額フィールド４１０に格納された価額と同額の価額が格納され、資産でない（なくなった）と判定されている場合には、０円が格納される。
【００５２】
図７に示す例では、新規のユニットであってある遊技機１０に組み込まれている状態のユニットについて、レコード４１０を有する価値管理テーブル４００を示している。このユニットは、製造会社２０が「２００４／１／１」（２００４年１月１日）に購入したものである。部品ＩＤフィールド４０２には、このユニットを一意に特定する部品ＩＤ「１２３４５６」が格納され、種別ＩＤフィールド４０３には、このユニットの種別（例えば、リールユニット）を特定する情報である種別ＩＤ「１００００」が格納されている。搬入年月日フィールド４０４には、このユニットが製造会社２０に搬入された年月日（部品として購入した年月日）「２００４／１／１」が格納される。搬出年月日フィールド４０５には、このユニットは製造会社から搬出されたことはないため、空白である。ステイタスフィールド４０６には、このユニットが製造会社２０の資産であることを表す「在庫」というステイタス情報が格納されている。取得年月日フィールド４０７には、このユニットの取得年月日である「２００４／１／１」が格納されている。取得原価フィールド４０８には、このユニットの取得原価（購入価格）である「￥５０，０００」が格納されている。減価償却累計額フィールド４０９には、まだ減価償却が発生していないため「￥０」が格納されている。資産価額フィールド４１０には、取得原価「￥５０，０００」から減価償却累計額「￥０」を差し引いた「￥５０，０００」が格納されている。資産価値フィールド４１１には、このユニットが製造会社２０の資産であるため、資産価額フィールドと同額の「￥５０，０００」が格納されている。
【００５３】
なお、このレコードに格納されている各データは、初期データであって価値管理装置５０が自動的に入力するものではなく、購買データなどに基づいてデータのトランスファーにより生成したり、あるいはオペレータが購入時の書類などに基づいて入力して生成することが一般的である。
【００５４】
記憶部３０３には、上記価値管理テーブル４００の他に、減価償却累計額を決定するための減価償却額テーブルを有している。図８に減価償却額テーブルの例を示す。減価償却額テーブル５００は、各種別ＩＤごとに一つのレコード５０１を有しており、各レコード５０１は、種別ＩＤフィールド５０２、耐用年数フィールド５０３、一年目減価償却費フィールド５０４、二年目減価償却費フィールド５０５、三年目減価償却費フィールド５０６、…を有している。なお、減価償却費フィールドの数は耐用年数に応じて定まる。例えば、耐用年数が５年であれば、一年目減価償却費フィールド５０４から五年目減価償却費フィールドをそのレコード５０１は有することとなる。なお、図８に示す例では、定額法による減価償却に対応した内容になっているが、定率法に対応した減価償却額テーブルを用いても本実施の形態は成立することは言うまでもない。
【００５５】
種別ＩＤフィールド５０２は、価値管理テーブル４００の種別ＩＤフィールド４０３と共通の種別ＩＤを用いる。価値算出部３０２は、価値管理テーブル４００の減価償却累計額フィールド４０９に減価償却額の累計を格納させる際に、種別ＩＤフィールド４０３の種別ＩＤをキーにして減価償却額テーブル５００の中から、同一の種別ＩＤを有するレコード５０１を検索し、そのレコード５０１の耐用年数フィールド５０３、一年目減価償却費フィールド５０４、二年目減価償却費フィールド５０５、三年目減価償却費フィールド５０６、…を参照して、減価償却額の累計を算出し、算出した累計を価値管理テーブル４００の減価償却累計額フィールド４０９に格納させる。
【００５６】
［新遊技機搬出時］
次に、上記のユニットＡ，Ｂ，Ｃを有する遊技機１０が遊技場３０に販売され、製造会社２０から搬出されたときの、価値管理装置５０の動作を説明する。
【００５７】
搬出を検出するリーダ／ライタ４０Ａが設けられた場所を、上記ユニットＡ，Ｂ，Ｃを有する遊技機１０が通過したものとする。搬出を検出するリーダ／ライタ４０Ａは、価値管理装置５０に読み取ったＩＣタグからの識別情報を送る。価値管理装置５０は、搬出を検出するリーダ／ライタ４０Ａから受け取った識別情報に基づいて価値管理テーブル４００の更新を行う。
【００５８】
一台の遊技機１０には複数のユニットＡ，Ｂ，Ｃがあり、すなわち複数のＩＣタグ２０１が搬出を検出するリーダ／ライタ４０Ａによって読み取られる。価値管理装置５０は、各ＩＣタグについて価値管理テーブル４００のレコード４０１の更新を行う。すなわち、価値管理装置５０は、各ＩＣタグ２０１から読み取った識別情報ごとに、価値管理テーブル４００の対応するレコード４０１を特定する。
【００５９】
図９は、図７の価値管理テーブル４００のレコード４０１に対応するユニットを組み込んだ遊技機１０が搬出された際に、価値管理装置５０によって更新された価値管理テーブル４００の例を示している。
【００６０】
図９に示す例において、価値管理装置５０、より詳しくは判定部３０１は、リーダ／ライタ４０Ａから受け取った識別情報に基づいてレコード４０１を特定し、この特定したレコード４０１の搬出年月日フィールド４０５の情報を、価値管理装置５０のタイマ、あるいはカレンダに基づいて現在年月日に更新する。この例では、搬出が行われた年月日を２００４年３月１日（２００４／３／１）とする。搬入年月日フィールド４０４の更新は行わない。
【００６１】
また、価値管理装置５０、より詳しくは判定部３０１は、搬入年月日フィールド４０４、搬出年月日フィールド４０５を比較して比較結果に基づいてステイタスフィールド４０６の情報を更新する。この例では、出年月日フィールド４０５に格納されている年月日が搬入年月日フィールド４０４に格納されている年月日より新しいので、価値管理装置５０、より詳しくは判定部３０は、ステイタスフィールド４０６に「売却」という情報を格納する。
【００６２】
また、価値管理装置５０、より詳しくは価値算出部３０２は、減価償却累計額フィールド４０９の更新を行う。価値管理装置５０、より詳しくは価値算出部３０２は価値管理装置５０のタイマ、あるいはカレンダから取得した現在年月日と、取得年月日フィールド４０７に格納された取得年月日を比較して、現時点での減価償却累計額を算出し、減価償却累計額フィールド４０９に格納する。具体的には、価値管理装置５０、より詳しくは価値算出部３０２は、種別ＩＤフィールド４０３に格納された種別ＩＤをキーにして、前述した減価償却額テーブル５００（図８参照）から減価償却累計額を取得する。例えば、取得年月日より現在年月日が一年以上二年未満である場合、価値管理装置５０、より詳しくは価値算出部３０２は、対応する種別ＩＤを有するレコード５０１の一年目減価償却費フィールド５０４に格納された値を取得し、減価償却累計額フィールド４０９に格納する。また、取得年月日より現在年月日が二年以上三年未満である場合、価値管理装置５０、より詳しくは価値算出部３０２は、対応する種別ＩＤを有するレコード５０１の一年目減価償却費フィールド５０４、二年目減価償却費フィールド５０５に格納された値を取得しこれらの値を合計して、減価償却累計額フィールド４０９に格納する。
【００６３】
また、さらに、価値管理装置５０、より詳しくは価値算出部３０２は、残存価額フィールド４１０を更新する。すなわち、価値管理装置５０、より詳しくは価値算出部３０２は、取得原価フィールド４０８に格納された価値から減価償却累計額フィールド４０９に格納された価値を差し引いた価額を算出し、これを残存価額フィールド４１０に格納する。
【００６４】
また、さらに、価値管理装置５０、より詳しくは価値算出部３０２は、資産価値フィールド４１１を更新する。すなわち、価値管理装置５０、より詳しくは価値算出部３０２は、ステイタスフィールド４０６の情報を参照して、資産であるか否かを反映した価額を資産価値フィールド４１１に格納する。この例では、ステイタスフィールド４０６には、資産でなくなったことを示す「売却」という情報が格納されているので、価値管理装置５０、より詳しくは価値算出部３０２は、０円を格納する。
【００６５】
価値管理装置５０は、上記のようなレコード４０１の更新を、リーダ／ライタ４０Ａが検出したＩＣタグ２０１すべて、すなわちＩＣタグの付されたユニットすべてについて行う。
【００６６】
［使用済み遊技機搬入時］
次に、上記のユニットＡ，Ｂ，Ｃを有する遊技機１０が遊技場３０から製造会社２０に回収され、製造会社２０に搬入された場合の、価値管理装置５０の動作を説明する。
【００６７】
搬入を検出するリーダ／ライタ４０Ｂが設けられた場所を、上記ユニットＡ，Ｂ，Ｃ（図８、９で扱ったユニットＡ，Ｂ，Ｃ）を有する遊技機１０が通過したものとする。搬入を検出するリーダ／ライタ４０Ｂは、価値管理装置５０に読み取ったＩＣタグからの識別情報を送る。価値管理装置５０は、搬出を検出するリーダ／ライタ４０Ｂから受け取った識別情報に基づいて価値管理テーブル４００の更新を行う。
【００６８】
搬出の説明と同様であるが、一台の遊技機１０には複数のユニットＡ，Ｂ，Ｃがある。すなわち遊技機１０に含まれる複数のＩＣタグ２０１すべてが搬入を検出するリーダ／ライタ４０Ｂによって読み取られる。価値管理装置５０は、各ＩＣタグ２０１について価値管理テーブル４００のレコード４０１の更新を行う。すなわち、価値管理装置５０は、各ＩＣタグ２０１から読み取った識別情報ごとに、価値管理テーブル４００の対応するレコード４０１を特定する。
【００６９】
図１０は、図７、９の価値管理テーブル４００のレコード４０１に対応するユニットＡ，Ｂ，Ｃを組み込んだ遊技機１０が使用後に搬入されることによって、価値管理装置５０に更新された価値管理テーブル４００の例を示している。
【００７０】
図１０に示す例において、価値管理装置５０、より詳しくは判定部３０１は、リーダ／ライタ４０Ｂから受け取った識別情報に基づいてレコード４０１を特定し、この特定したレコード４０１の搬入年月日フィールド４０４の情報を、価値管理装置５０のタイマ、あるいはカレンダに基づいて現在年月日に更新する。この例では、搬入が行われた年月日を２００５年２月１日（２００５／２／１）とする。一方、搬出年月日フィールド４０５の更新は行わない。
【００７１】
また、価値管理装置５０、より詳しくは判定部３０１は、搬入年月日フィールド４０４、搬出年月日フィールド４０５を比較して比較結果に基づいてステイタスフィールド４０６の情報を更新する。この例では、搬出年月日フィールド４０５に格納されている年月日が搬入年月日フィールド４０４に格納されている年月日より古いので、価値管理装置５０より詳しくは判定部３０は、ステイタスフィールド４０６に「回収」という情報を格納する。
【００７２】
また、価値管理装置５０、より詳しくは価値算出部３０２は、減価償却累計額フィールド４０９の更新を行う。価値管理装置５０、より詳しくは価値算出部３０２は価値管理装置５０のタイマ、あるいはカレンダから取得した現在年月日と、取得年月日フィールド４０７に格納された取得年月日を比較して、現時点での減価償却累計額を算出し、減価償却累計額フィールド４０９に格納する。具体的には、価値管理装置５０、より詳しくは価値算出部３０２は、種別ＩＤフィールド４０３に格納された種別ＩＤをキーにして、前述した減価償却額テーブル５００から減価償却累計額を取得する。図１０の例では、取得年月日より現在年月日が一年以上二年未満であるため、価値管理装置５０、より詳しくは価値算出部３０２は、対応する種別ＩＤを有するレコード５０１の一年目減価償却費フィールド５０４に格納された値を取得し、減価償却累計額フィールド４０９に格納する。図１０の例では、図８に示す減価償却額テーブル５００の一年目減価償却費フィールド５０４に格納されている値「￥１０，０００」が減価償却累計額フィールド４０９に格納されることになる。
【００７３】
また、さらに、価値管理装置５０、より詳しくは価値算出部３０２は、残存価額フィールド４１０を更新する。すなわち、価値管理装置５０、より詳しくは価値算出部３０２は、取得原価フィールド４０８に格納された価値から減価償却累計額フィールド４０９に格納された価値を差し引いた価額を算出し、これを残存価額フィールド４１０に格納する。図１０の例では、取得価額「￥５０，０００」から減価償却累計額「￥１０，０００」を差し引いた額「￥４０，０００」が残存価額フィールド４１０に格納されることになる。
【００７４】
また、さらに、価値管理装置５０、より詳しくは価値算出部３０２は、資産価値フィールド４１１を更新する。すなわち、価値管理装置５０、より詳しくは価値算出部３０２は、ステイタスフィールド４０６の情報を参照して、資産であるか否かを反映した価額を資産価値フィールド４１１に格納する。この例では、ステイタスフィールド４０６には、資産になったことを示す「回収」という情報が格納されているので、価値管理装置５０、より詳しくは価値算出部３０２は、残存価額フィールド４１０に格納された「￥４０，０００円」を格納する。
【００７５】
価値管理装置５０は、上記のようなレコード４０１の更新を、リーダ／ライタ４０Ｂが検出したＩＣタグ２０１すべて、すなわちＩＣタグの付されたユニットすべてについて行う。
【００７６】
このように、価値管理装置５０が価値管理テーブル４００の更新を行うことにより、回収した遊技機１０のユニットＡ，Ｂ，Ｃを、新たな遊技機１０を製造するための部品として会社の資産として把握できるようにすると共に、その資産価値について減価償却費を反映させることができる。
【００７７】
［再生遊技機搬出時］
次に、上記の使用済みユニットＡ，Ｂ，Ｃを組み込んだ新たな遊技機１０（再生遊技機と呼ぶ）が遊技場３０に販売され、製造会社２０から搬出されたときの、価値管理装置５０の動作を説明する。
【００７８】
搬出を検出するリーダ／ライタ４０Ａが設けられた場所を、上記ユニットＡ，Ｂ，Ｃを有する再生遊技機１０が通過したものとする。搬出を検出するリーダ／ライタ４０Ａは、価値管理装置５０に読み取ったＩＣタグからの識別情報を送る。価値管理装置５０は、搬出を検出するリーダ／ライタ４０Ａから受け取った識別情報に基づいて価値管理テーブル４００の更新を行う。
【００７９】
一台の再生遊技機１０には複数のユニットＡ，Ｂ，Ｃがあり、すなわち複数のＩＣタグ２０１が搬出を検出するリーダ／ライタ４０Ａによって読み取られる。価値管理装置５０は、各ＩＣタグについて価値管理テーブル４００のレコード４０１の更新を行う。すなわち、価値管理装置５０は、各ＩＣタグ２０１から読み取った識別情報ごとに、価値管理テーブル４００の対応するレコード４０１を特定する。
【００８０】
図１１は、図７、９、１０の価値管理テーブル４００のレコード４０１に対応するユニットＡ，Ｂ，Ｃを組み込んだ再生遊技機１０が搬出された際に、価値管理装置５０によって更新された価値管理テーブル４００の例を示している。
【００８１】
図１１に示す例において、価値管理装置５０、より詳しくは判定部３０１は、リーダ／ライタ４０Ａから受け取った識別情報に基づいてレコード４０１を特定し、この特定したレコード４０１の搬出年月日フィールド４０５の情報を、価値管理装置５０のタイマ、あるいはカレンダに基づいて現在年月日に更新する。この例では、搬出が行われた年月日を２００６年７月１日（２００６／７／１）とする。搬入年月日フィールド４０４の更新は行わない。
【００８２】
また、価値管理装置５０、より詳しくは判定部３０１は、搬入年月日フィールド４０４、搬出年月日フィールド４０５を比較して比較結果に基づいてステイタスフィールド４０６の情報を更新する。この例では、搬出年月日フィールド４０５に格納されている年月日が搬入年月日フィールド４０４に格納されている年月日より新しいので、価値管理装置５０、より詳しくは判定部３０は、ステイタスフィールド４０６に「売却」という情報を格納する。
【００８３】
また、価値管理装置５０、より詳しくは価値算出部３０２は、減価償却累計額フィールド４０９の更新を行う。価値管理装置５０、より詳しくは価値算出部３０２は価値管理装置５０のタイマ、あるいはカレンダから取得した現在年月日と、取得年月日フィールド４０７に格納された取得年月日を比較して、現時点での減価償却累計額を算出し、減価償却累計額フィールド４０９に格納する。具体的には、価値管理装置５０、より詳しくは価値算出部３０２は、種別ＩＤフィールド４０３に格納された種別ＩＤをキーにして、前述した減価償却額テーブル５００から減価償却累計額を取得する。図１１に示す例では、取得年月日より現在年月日が二年以上三年未満であるため、価値管理装置５０、より詳しくは価値算出部３０２は、対応する種別ＩＤを有するレコード５０１の一年目減価償却費フィールド５０４、二年目減価償却費フィールド５０５に格納された値を取得しこれらの値を合計して、減価償却累計額フィールド４０９に格納する。具体的には、図１１の例では、図８に示す減価償却額テーブル５００の一年目減価償却費フィールド５０４に格納されている値「￥１０，０００」及び二年目減価償却費フィールド５０５に格納されている値「￥１０，０００」の合計額「￥２０，０００」が減価償却累計額フィールド４０９に格納されることになる。
【００８４】
また、さらに、価値管理装置５０、より詳しくは価値算出部３０２は、残存価額フィールド４１０を更新する。すなわち、価値管理装置５０、より詳しくは価値算出部３０２は、取得原価フィールド４０８に格納された価値から減価償却累計額フィールド４０９に格納された価値を差し引いた価額を算出し、これを残存価額フィールド４１０に格納する。図１１に示す例では、取得価格「￥５０，０００」より減価償却累計額「￥２０，０００」を差し引いた「￥３０，０００」が残存価額フィールド４１０に格納される。
【００８５】
また、さらに、価値管理装置５０、より詳しくは価値算出部３０２は、資産価値フィールド４１１を更新する。すなわち、価値管理装置５０、より詳しくは価値算出部３０２は、ステイタスフィールド４０６の情報を参照して、資産であるか否かを反映した価額を資産価値フィールド４１１に格納する。この例では、ステイタスフィールド４０６には、資産でなくなったことを示す「売却」という情報が格納されているので、価値管理装置５０、より詳しくは価値算出部３０２は、０円を格納する。
【００８６】
価値管理装置５０は、上記のようなレコード４０１の更新を、リーダ／ライタ４０Ａが検出したＩＣタグ２０１すべて、すなわちＩＣタグの付されたユニットすべてについて行う。
【００８７】
［使用済み再生遊技機搬入時］
次に、遊技場３０に送られた再生遊技機１０が遊技場３０から製造会社２０に回収され、製造会社２０に搬入された場合の、価値管理装置５０の動作を説明する。
【００８８】
搬入を検出するリーダ／ライタ４０Ｂが設けられた場所を、上記ユニットＡ，Ｂ，Ｃ（図８、９で扱ったユニットＡ，Ｂ，Ｃ）を有する使用済み再生遊技機１０が通過したものとする。搬入を検出するリーダ／ライタ４０Ｂは、価値管理装置５０に読み取ったＩＣタグからの識別情報を送る。価値管理装置５０は、搬出を検出するリーダ／ライタ４０Ｂから受け取った識別情報に基づいて価値管理テーブル４００の更新を行う。
【００８９】
一台の使用済み再生遊技機１０には複数のユニットＡ，Ｂ，Ｃがある。すなわち遊技機１０に含まれる複数のＩＣタグ２０１すべてが搬入を検出するリーダ／ライタ４０Ｂによって読み取られる。価値管理装置５０は、各ＩＣタグ２０１について価値管理テーブル４００のレコード４０１の更新を行う。すなわち、価値管理装置５０は、各ＩＣタグ２０１から読み取った識別情報ごとに、価値管理テーブル４００の対応するレコード４０１を特定する。
【００９０】
図１２は、図７、９、１０、１１の価値管理テーブル４００のレコード４０１に対応するユニットＡ，Ｂ，Ｃを組み込まれた遊技機１０が使用後に搬入されることによって、価値管理装置５０に更新された価値管理テーブル４００の例を示している。
【００９１】
図１２に示す例において、価値管理装置５０、より詳しくは判定部３０１は、リーダ／ライタ４０Ｂから受け取った識別情報に基づいてレコード４０１を特定し、この特定したレコード４０１の搬入年月日フィールド４０４の情報を、価値管理装置５０のタイマ、あるいはカレンダに基づいて現在年月日に更新する。この例では、使用済み再生遊技機１０の搬入が行われた年月日を２００７年５月１日（２００７／５／１）とする。一方、搬出年月日フィールド４０４の更新は行わない。
【００９２】
また、価値管理装置５０、より詳しくは判定部３０１は、搬入年月日フィールド４０４、搬出年月日フィールド４０５を比較して比較結果に基づいてステイタスフィールド４０６の情報を更新する。この例では、搬出年月日フィールド４０５に格納されている年月日が搬入年月日フィールド４０４に格納されている年月日より古いので、価値管理装置５０より詳しくは判定部３０は、ステイタスフィールド４０６に「回収」という情報を格納する。
【００９３】
また、価値管理装置５０、より詳しくは価値算出部３０２は、減価償却累計額フィールド４０９の更新を行う。価値管理装置５０、より詳しくは価値算出部３０２は価値管理装置５０のタイマ、あるいはカレンダから取得した現在年月日と、取得年月日フィールド４０７に格納された取得年月日を比較して、現時点での減価償却累計額を算出し、減価償却累計額フィールド４０９に格納する。具体的には、価値管理装置５０、より詳しくは価値算出部３０２は、種別ＩＤフィールド４０３に格納された種別ＩＤをキーにして、前述した減価償却額テーブル５００から減価償却累計額を取得する。図１２の例では、取得年月日より現在年月日が三年以上四年未満であるため、価値管理装置５０、より詳しくは価値算出部３０２は、対応する種別ＩＤを有するレコード５０１の一年目減価償却費フィールド５０４、二年目減価償却費フィールド５０５、三年目減価償却費フィールド５０６のそれぞれに格納された値を取得し、減価償却累計額フィールド４０９に格納する。図１２の例では、図８に示す減価償却額テーブル５００の一年目減価償却費フィールド５０４に格納されている値「￥１０，０００」、二年目減価償却費フィールド５０５に格納されている値「￥１０，０００」、及び三年目減価償却費フィールド５０６に格納されている値「￥１０，０００」の合計額である「￥３０，０００」が減価償却累計額フィールド４０９に格納されることになる。
【００９４】
また、さらに、価値管理装置５０、より詳しくは価値算出部３０２は、残存価額フィールド４１０を更新する。すなわち、価値管理装置５０、より詳しくは価値算出部３０２は、取得原価フィールド４０８に格納された価値から減価償却累計額フィールド４０９に格納された価値を差し引いた価額を算出し、これを残存価額フィールド４１０に格納する。図１２の例では、取得価額「￥５０，０００」から減価償却累計額「￥３０，０００」を差し引いた額「￥２０，０００」が残存価額フィールド４１０に格納されることになる。
【００９５】
また、さらに、価値管理装置５０、より詳しくは価値算出部３０２は、資産価値フィールド４１１を更新する。すなわち、価値管理装置５０、より詳しくは価値算出部３０２は、ステイタスフィールド４０６の情報を参照して、資産であるか否かを反映した価額を資産価値フィールド４１１に格納する。この例では、ステイタスフィールド４０６には、資産になったことを示す「回収」という情報が格納されているので、価値管理装置５０、より詳しくは価値算出部３０２は、残存価額フィールド４１０に格納された「￥２０，０００円」を格納する。
【００９６】
これにより、このレコード４０１に対応するユニットであって、減価償却が反映された資産価値として「￥２０，０００」を有するユニットが製造会社２０の資産となっていることが把握できる。
【００９７】
価値管理装置５０は、上記のようなレコード４０１の更新を、リーダ／ライタ４０Ｂが検出したＩＣタグ２０１すべて、すなわちＩＣタグの付されたユニットすべてについて行う。従って、本実施の形態にかかる価値管理システム２００、価値管理装置５０によれば、搬入された使用済み再生遊技機１０が有するユニットＡ，Ｂ，Ｃ（ＩＣタグが付されているユニットＡ，Ｂ，Ｃに限る）のすべてについて、リアルタイムで減価償却が反映された資産価値を把握することが可能となる。
【００９８】
このように、価値管理装置５０が価値管理テーブル４００の更新を行うことにより、回収した遊技機１０のユニットＡ，Ｂ，Ｃを、新たな遊技機１０を製造するための部品として会社の資産として把握できるようにすると共に、その資産価値について反映した減価償却費を反映させることができる。
【００９９】
［遊技機の資産価値の管理］
上記価値管理装置５０は、遊技機１０それぞれの資産価値を管理することも可能である。例えば、すべて新品のユニットＡ，Ｂ，Ｃで構成されている遊技機と、使用済みのリサイクルしたユニットＡ，Ｂ，Ｃを用いた遊技機１０の資産価値は、使用済みユニットの減価償却分を考慮すれば、異なった扱いとすべきである。価値管理装置５０は、上記価値管理テーブル４００を用いて、遊技機１０それぞれの資産価値を管理する。
【０１００】
図１３は、価値管理装置５０が遊技機１０それぞれの資産価値を管理するために生成する、遊技機構成部品テーブルの例である。遊技機構成部品テーブル１０００は、遊技機１０を一意に特定する情報であるシリアルナンバーと、その遊技機１０に含まれるユニットＡ，Ｂ，Ｃとを対応づけて記憶するためのテーブルである。図１３に示す例では、遊技機構成部品テーブル１０００は、遊技機１０ごとに一つのレコード１００１を有している。各レコード１００１は、シリアルナンバーフィールド１００２と、部品ＩＤフィールド１００３、１００４、１００５、…を有している。シリアルナンバーフィールド１００２は、遊技機１０に付されたＩＣタグ２０１が格納する識別情報、又はこれに対応する情報、例えば、遊技機のシリアルナンバー、あるいは遊技機ＩＤナンバーが格納される。部品ＩＤフィールド１００３、１００４、１００５、…は、その遊技機１０を構成するユニットＡ，Ｂ，Ｃの部品ＩＤを格納するフィールドである。通常、遊技機１０が有するユニットＡ，Ｂ，Ｃの個数分の部品ＩＤフィールド１００３、１００４、１００５、…が設けられることになる。遊技機構成部品テーブル１０００で用いる部品ＩＤと、価値管理テーブル４００の部品ＩＤフィールド４０２で用いる部品ＩＤは共通である。
【０１０１】
一台ずつ遊技機１０をリーダ／ライタ４０Ｂ（４０Ａでもその他のリーダ／ライタでもよい）により読み取りさせると、遊技機１０に付されたＩＣタグ２０１の読み取りと同時に、その遊技機１０を構成するユニットＡ，Ｂ，Ｃに付されたＩＣタグ２０１の読み取りも行われる。そこで、これら同時に読み取りできたＩＣタグの識別情報を互いに関連づけて一つのレコード１００１に格納することにより、価値管理装置５０は、遊技機構成部品テーブル１０００を生成する。
【０１０２】
さらに、価値管理装置５０は、遊技機構成部品テーブル１０００に基づいて、各遊技機１０の資産価値を把握するための遊技機価値テーブル１１００を生成する。図１４は、遊技機価値テーブル１１００の一例を示す図である。図１４に示す例では、遊技機価値テーブル１１００は、遊技機１０ごとに一つのレコード１１０１を有している。各レコード１１０１は、シリアルナンバーフィールド１１０２と、部品残存価額フィールド１１０３、１１０４、１１０５、…を有している。
【０１０３】
シリアルナンバーフィールド１１０２は、遊技機１０に付されたＩＣタグ２０１が格納する識別情報、又はこれに対応する情報、例えば、遊技機のシリアルナンバー、あるいは遊技機ＩＤナンバーが格納される。遊技機構成部品テーブル１０００のシリアルナンバーフィールド１００２と遊技機価値テーブル１１００のシリアルナンバーフィールド１１０２とにおいては、共通の識別情報を使用する。
【０１０４】
価値管理装置５０は、シリアルナンバーフィールド１１０２が有する識別情報と同一の識別情報を格納したシリアルナンバーフィールド１００２を有するレコード１００１を遊技機構成部品テーブル１０００から抽出し、抽出したレコード１００１の各部品ＩＤフィールドから部品ＩＤを取得する。次に、価値管理装置５０は、取得した部品ＩＤに対応する部品ＩＤを有するレコード４０１を価値管理テーブル４００から抽出し、抽出したレコード４０１の残存価額フィールド４１０から残存価額を取得し、部品残存価額フィールド１１０３、１１０４、１１０５、…に格納する。この処理により価値管理装置５０は、遊技機価値テーブル１１００を生成する。
【０１０５】
各レコード１１０１の部品残存価額フィールド１１０３、１１０４、１１０５、…の残存価額を合計することにより、シリアルナンバーフィールド１１０２の識別情報によって特定される遊技機１０の価値が、減価償却を反映させた価値として把握することができる。
【０１０６】
かかる遊技機価値テーブル１１００を生成する価値管理装置５０によれば、従来不可能であった、リサイクル／リユースによって発生する減価償却を製品個々に反映させて、管理することが可能になる。
【０１０７】
以上説明したように、前述した実施形態に係るユニット振り分け配送管理システムＳ，Ｓ’によれば、情報保持手段としての無線ＩＣタグ２０１と情報読み取り手段としてのリーダ／ライタ４０，４０Ａ，４０Ｂと管理手段としての管理制御部３００とが各ユニット１０，１０ａ，１０ｂ，１０ｃの経時的な状態について協働して情報をやりとりする自動化システムを実現することが可能になるため、各ユニット１０，１０ａ，１０ｂ，１０ｃの経時的な状態をリアルタイムに且つ自動的に管理でき、物流システム、工場システム、経理（財務）システムとの連携により効率的にユニットを有効利用することができる。また、振り分け配送管理をリアルタイム且つ自動化させることができるため、効率化を図りつつ人為的ミスを無くすことができる。特に、リサイクル／リユースを活かした生産（第１の実施形態）においては、店舗としての遊技場３０から回収される遊技機１０の種類や内容を回収する段階で無線ＩＣタグ２０１を読み取ることで無駄の無い受発注が可能になる。
【図面の簡単な説明】
【０１０８】
【図１】本発明の第１の実施形態に係るユニット振り分け配送管理システムの概要を示した図である。
【図２】無線ＩＣタグの概略構成を示すブロック図である。
【図３】管理制御部の概略構成を示すブロック図である。
【図４】係るユニット振り分け配送管理システムの価値管理システムの構成例を示すブロック図である。
【図５】ユニット振り分け配送管理システムの価値管理装置の機能ブロック図である。
【図６】本発明の第２の実施形態に係るユニット振り分け配送管理システムの概要を示した図である。
【図７】上記実施形態に係る価値管理装置が有する価値管理テーブルの例を示す図である。
【図８】上記実施形態に係る価値管理装置が有する減価償却額テーブルの例を示す図である。
【図９】上記実施形態に係る価値管理装置によって更新された価値管理テーブルの例を示す図である。
【図１０】上記実施形態に係る価値管理装置によって更新された価値管理テーブルの例を示す図である。
【図１１】上記実施形態に係る価値管理装置によって更新された価値管理テーブルの例を示す図である。
【図１２】上記実施形態に係る価値管理装置によって更新された価値管理テーブルの例を示す図である。
【図１３】上記実施形態に係る価値管理装置で生成される遊技機構成部品テーブルの例を示す図である。
【図１４】上記実施形態に係る価値管理装置で生成される遊技機価値テーブルの例を示す図である。
【符号の説明】
【０１０９】
４０，４０Ａ，４０Ｂ  リーダ／ライタ（情報読み取り手段）
９０  無線トラック（移送手段）
１９０  コンベア（移送手段）
２０１  無線ＩＣタグ（情報保持手段）
２１０  メモリ（記憶部）
２２０  インタフェース（送信部）
３００  管理制御部（管理手段）
３１２  振り分け情報生成部（振り分け情報生成手段）
４００  振り分け搬送経路
Ｓ，Ｓ’  ユニット振り分け配送管理システム
【図１】
0005116145.tif 000002
【図２】
0005116145.tif 000003
【図３】
0005116145.tif 000004
【図４】
0005116145.tif 000005
【図５】
0005116145.tif 000006
【図６】
0005116145.tif 000007
【図７】
0005116145.tif 000008
【図８】
0005116145.tif 000009
【図９】
0005116145.tif 000010
【図１０】
0005116145.tif 000011
【図１１】
0005116145.tif 000012
【図１２】
0005116145.tif 000013
【図１３】
0005116145.tif 000014
【図１４】
0005116145.tif 000015